(57)【要約】      （修正有）【課題】構造が簡単で、患者に接触する部分を容易に取り外して滅菌したり、使い捨てにしたりでき、衛生的で光スキャナ等を制御する制御回路等も不要、構造が簡単、堅牢、低コスト、及び小型化が可能な歯科用計測装置を提供する。【解決手段】レンズと光ファイバを収納し、被検体に接触又は近接させ、表面から深さ方向へＯＣＴの計測光を照射して反射光を受光するプローブ２と、ＯＣＴによる干渉信号を取得する干渉信号取得手段を備えた本体３とでなり、干渉信号の強度分布から得られる情報の告示手段３ａをプローブ２又は本体３に備えることで、切削後の残存エナメル質の表面から象牙質までの距離、残存象牙質から歯髄までの距離、歯肉表面から歯槽骨までの距離等を計測できる。【選択図】図１
2013233303.tif 000002
【特許請求の範囲】
【請求項１】
レンズと光ファイバーを収納し、被検体に接触又は近接させ、表面から深さ方向へＯＣＴの計測光を照射して反射光を受光するプローブと、
ＯＣＴによる干渉信号を取得する干渉信号取得手段を備えた本体とで構成され、
前記干渉信号の強度分布から得られる情報を告示する告示手段をプローブ又は本体に備えたことを特徴とする歯科用計測装置。
【請求項２】
前記干渉信号の強度分布から、前記被検体表面の組織の表面と裏面に対応する２ヶ所の干渉信号強度ピーク位置を検出する手段と、
前記２ヶ所の干渉信号強度ピーク位置間の光学距離を求める手段と、
前記組織を選定するスイッチと、
選定された前記組織の屈折率と前記光学距離から前記光学距離を実際の距離に変換する手段と、
前記実際の距離を告示する手段から構成されたことを特徴とする請求項１に記載の歯科用計測装置。
【請求項３】
前記プローブにおいて、前記レンズの向きが任意に調整できることを特徴とする請求項１又は２に記載の歯科用計測装置。
【請求項４】
前記プローブの収納部がフレキシブルの材質で作られ、施術者が自由に曲げて前記レンズの向きを変えて使用できることを特徴とする請求項１〜３のいずれか１項に記載の歯科用計測装置。
【請求項５】
前記プローブの収納部が樹脂、金属、又はゴム等で作られ、はめ込み式又はネジ式で容易に分解組み立てできることを特徴とする請求項１〜４のいずれか１項に記載の歯科用計測装置。
【請求項６】
前記告示手段が、表示器に画像、数字、記号、色の変化等で表示する方式であることを特徴とする請求項１〜５のいずれか１項に記載の歯科用計測装置。
【請求項７】
前記告示手段が、ブザー又はスピーカーを用い、音色、音の長さ、メロディー又は音声等により知らせる方式であることを特徴とする請求項１〜６のいずれか１項に記載の歯科用計測装置。
【請求項８】
前記告示手段が、前記プローブを振動させ、その強弱や断続による方式であることを特徴とする請求項１〜７のいずれか１項に記載の歯科用計測装置。
【請求項９】
前記本体を制御するためのスイッチ又はセンサが前記プローブに装備されていることを特徴とする請求項１〜８のいずれか１項に記載の歯科用計測装置。
【請求項１０】
前記プローブに、施術者が前記被検体を視認するための照明を備えていることを特徴とする請求項１〜９のいずれか１項に記載の歯科用計測装置。
【請求項１１】
前記本体に前記プローブを格納するためのホルダを備え、前記スイッチ又はセンサが前記ホルダに装備され、前記プローブを前記ホルダから取り出すと計測を開始し、格納すると計測を終了するように構成されていることを特徴とする請求項１〜１０のいずれか１項に記載の歯科用計測装置。
【発明の詳細な説明】
【技術分野】
【０００１】
本発明はＯＣＴ（Ｏｐｔｉｃａｌ  Ｃｏｈｅｒｅｎｃｅ  Ｔｏｍｏｇｒａｐｈｙ）を利用した歯科用計測装置に関する。
【背景技術】
【０００２】
ＯＣＴを歯科医療に利用する場合は、口腔内における被検体の状態を計測できるようなプローブが必要である。また、一般的にＯＣＴ装置は複雑であり、歯科用に開発されたＯＣＴ装置も例外ではなく、例えば、細いプローブ内に超小型の光スキャナ等を組み込む必要があった。このため非常に高価なものとなり、壊れやすく、小型化にも限界があった。
このような問題を解決するためには、高機能の計測装置であるＯＣＴ装置の機能をある程度限定しても利用できるようにすることが効果的である。
一方、歯科医療においては、切削した後の残存エナメル質の表面から象牙質までの距離、切削した後の残存象牙質から歯髄までの距離、歯肉表面から歯槽骨までの距離等を把握することが重要であるが、従来は非侵襲で手軽に利用できる計測装置が無いため距離の判定は専ら施術者の勘と経験に委ねられていた。そこで、施術者の負担を減らすため、被検体中の複数の組織の境界面を認識し、組織毎に選定し色分けして表示する歯科用ＯＣＴ装置が開発されている。しかし、装置が複雑で高価であるという問題は解決されていなかった。
【先行技術文献】
【特許文献】
【０００３】
【特許文献１】実用新案登録第３１１８０１９号
【特許文献１】特開２００８−２２０７７９号公報
【発明の概要】
【発明が解決しようとする課題】
【０００４】
本発明では、切削した後の残存エナメル質の表面から象牙質までの距離、残存象牙質から歯髄までの距離、歯肉表面から歯槽骨までの距離等を計測でき、構造が簡単で、低コストかつ小型軽量化が可能な、ＯＣＴを利用した歯科用計測装置を提供する。
【課題を解決するための手段】
【０００５】
上記に鑑み本発明者は鋭意実験研究の結果下記の手段によりこの課題を解決した。
（１）レンズと光ファイバーを収納し、被検体に接触又は近接させ、表面から深さ方向へＯＣＴの計測光を照射して反射光を受光するプローブと、ＯＣＴによる干渉信号を取得する干渉信号取得手段を備えた本体とて構成され、前記干渉信号の強度分布から得られる情報を告示する告示手段をプローブ又は本体に備えたことを特徴とする歯科用計測装置。
（２）前記干渉信号の強度分布から、前記被検体表面の組織の表面と裏面に対応する２ヶ所の干渉信号強度ピーク位置を検出する手段と、前記２ヶ所の干渉信号強度ピーク位置間の光学距離を求める手段と、前記組織を選定するスイッチと、選定された前記組織の屈折率と前記光学距離から前記光学距離を実際の距離に変換する手段と、前記実際の距離を告示する手段から構成されたことを特徴とする前項（１）に記載の歯科用計測装置。
【０００６】
（３）前記プローブにおいて、前記レンズの向きが任意に調整できることを特徴とする前項（１）又は（２）に記載の歯科用計測装置。
（４）前記プローブの収納部がフレキシブルの材質で作られ、施術者が自由に曲げて前記レンズの向きを変えて使用できることを特徴とする前項（１）〜（３）のいずれか１項に記載の歯科用計測装置。
（５）前記プローブの収納部が樹脂、金属、又はゴム等で作られ、はめ込み式又はネジ式で容易に分解組み立てできることを特徴とする前項（１）〜（４）のいずれか１項に記載の歯科用計測装置。
【０００７】
（６）前記告示手段が、表示器に画像、数字、記号、色の変化等で表示する方式であることを特徴とする前項（１）〜（５）のいずれか１項に記載の歯科用計測装置。
（７）前記告示手段が、ブザー又はスピーカーを用い、音色、音の長さ、メロディー又は音声等により知らせる方式であることを特徴とする前項（１）〜（６）のいずれか１項に記載の歯科用計測装置。
（８）前記告示手段が、前記プローブを振動させ、その強弱や断続による方式であることを特徴とする前項（１）〜（７）のいずれか１項に記載の歯科用計測装置。
【０００８】
（９）前記本体を制御するためのスイッチ又はセンサが前記プローブに装備されていることを特徴とする前項（１）〜（８）のいずれか１項に記載の歯科用計測装置。
（１０）前記プローブに、施術者が前記被検体を視認するための照明を備えていることを特徴とする前項（１）〜（９）のいずれか１項に記載の歯科用計測装置。
（１１）前記本体に前記プローブを格納するためのホルダを備え、前記スイッチ又はセンサが前記ホルダに装備され、前記プローブを前記ホルダから取り出すと計測を開始し、格納すると計測を終了するように構成されていることを特徴とする前項（１）〜（１０）のいずれか１項に記載の歯科用計測装置。
【発明の効果】
【０００９】
１、本発明の請求項１の発明によれば、
レンズと光ファイバーを収納し、被検体に接触又は近接させ、表面から深さ方向へＯＣＴの計測光を照射して反射光を受光するプローブと、
ＯＣＴによる干渉信号を取得する干渉信号取得手段を備えた本体とて構成され、
前記干渉信号の強度分布から得られる情報を告示する告示手段をプローブ又は本体に備えているため、
レンズと光ファイバー、及びそれらを収納するプローブで構成され、光スキャナやその他のレンズ等がないため、軽量かつ低コストであり、歯科診療で特に重要な計測用のプローブの低コスト化と小型軽量化を同時に実現できる。
また構造が簡単であるため、患者に接触する部分を容易に取り外して滅菌したり、使い捨てにしたりできるので衛生的であり、光スキャナ等を制御する制御回路等も不要になるので、装置全体的として構造が簡単、堅牢、低コスト、及び小型化が可能な歯科用計測装置を提供できる。
さらに施術者がプローブ又は本体で、得られた情報をすぐに確認できるので、診療効率が向上する。
【００１０】
２、本発明の請求項２の発明によれば、
前記干渉信号の強度分布から、前記被検体表面の組織の表面と裏面に対応する２ヶ所の干渉信号強度ピーク位置を検出する手段と、
前記２ヶ所の干渉信号強度ピーク位置間の光学距離を求める手段と、
前記組織を選定するスイッチと、
選定された前記組織の屈折率と前記光学距離から前記光学距離を実際の距離に変換する手段と、
前記実際の距離を告示する手段から構成されているため、
施術者は、被検体表面組織の表面と裏面間の実際の距離を即時知ることができるので、切削した後の残存エナメル質の表面から象牙質まで、残存象牙質の表面から歯髄まで、及び歯肉表面から歯槽骨まで等の実際の距離が簡単な操作で即座に把握できる。従来のように勘と経験に頼らずエビデンスに基づいた的確な診療を行うことができる。
【００１１】
３、請求項３の発明によれば、
前記プローブにおいて、前記レンズの向きが任意に調整できるため、
レンズの向きが変わるので、被検体が口腔内のどの箇所でもプローブの先端部を当接し易くなり、施術者及び患者にとっても負担が少ない。
４、請求項４の発明によれば、
前記プローブの収納部がフレキシブルの材質で作られ、施術者が自由に曲げて前記レンズの向きを変えて使用できるため、
施術者はプローブを自由に曲げて前記レンズの向きを変えて使用することができる。
また、収納部がフレキシブル材質であるので、回動部や角度変更部等を備える必要がなく、プローブにおいて、さらに低コスト化と軽量化ができる。
５、請求項５の発明によれば、
前記プローブの収納部が樹脂、金属、又はゴム等で作られ、はめ込み式又はネジ式で容易に分解組み立てできるため、
分解して容易に滅菌、消毒、清掃ができるので衛生的である。
【００１２】
６、請求項６の発明によれば、
前記告示手段が、表示器に画像、数字、記号、色の変化等で表示する方式であるため、
施術者は、表示器にて一目で告示された内容を理解でき、診療効率の向上に貢献できる。
７、請求項７の発明によれば、
前記告示手段が、ブザー又はスピーカーを用い、音色、音の長さ、メロディー又は音声等により知らせる方式であるため、
施術者は患者から目を離して表示器を見ることなく、告示された内容を聞いて知ることができ効率的な診療が可能である。
８、請求項８の発明によれば、
前記告示手段が、前記プローブを振動させ、その強弱や断続による方式であるため、
施術者は患者から目を離して表示器を見ることなく、握持するプローブの振動告知によって、告示された内容を知ることができ効率的な診療が可能である。
【００１３】
９、請求項９の発明によれば、
前記本体を制御するためのスイッチ又はセンサが前記プローブに装備されているため、
施術者は、握持するプローブの手元で容易に本体を制御できるので、本体側のスイッチを操作する等の作業が無くなり診療効率が向上する。
１０、請求項１０の発明によれば、  
前記プローブに、施術者が前記被検体を視認するための照明を備えているため、
施術者が口腔内等暗い計測箇所を視認するのに便利である。
１１、請求項１１の発明によれば、
前記本体に前記プローブを格納するためのホルダを備え、前記スイッチ又はセンサが前記ホルダに装備され、前記プローブを前記ホルダから取り出すと計測を開始し、格納すると計測を終了するように構成されているため、
施術者は、プローブをホルダから出し入れするだけで計測の開始又は終了操作をすることができ、また格納時の整理も容易である。
【図面の簡単な説明】
【００１４】
【図１】本発明の歯科用計測装置の外観斜視図
【図２】本発明のプローブの縦断面図
【図３】前歯の縦断面を表す模式図
【図４】臼歯の縦断面を表す模式図
【図５】切削前の前歯の計測結果
【図６】エナメル質表面切削後の前歯の計測結果
【図７】象牙質まで切削した臼歯の計測結果
【図８】レンズの向きが調整できるプローブの外観図
【図９】レンズの向きが調整できるプローブ先端の拡大縦断面図
【図１０】フレキシブル材で作製されたプローブの外観図
【図１１】樹脂で作製されたプローブの分解図
【図１２】表示器を装備したプローブの外観図
【図１３】振動方式のプローブの一部破断図
【図１４】スイッチを備えたプローブの外観図
【図１５】照明を備えたプローブの外観図
【図１６】ホルダを装備した歯科用計測装置の外観斜視図
【発明を実施するための最良の形態】
【００１５】
発明を実施するための最良の形態を以下に説明する。
【実施例】
【００１６】
図１は、本発明の歯科用計測装置の外観斜視図である。
図において、１は歯科用計測装置、２はプローブ、３は本体、３ａは表示器、３ｂはメインスイッチ、４は計測箇所の組織を選定するスイッチを示す。
施術者は、本体３を安定な場所に設置し、メインスイッチ３ｂをオンにし、被検体の組織を選定するスイッチ４を操作してエナメル質、象牙質、又は歯肉等の内から計測箇所の組織を選定する、例えば、左側に倒すとエナメル質、真中が象牙質、右側に倒すと歯肉が選定される。
プローブ２を手に持って、その先端を被検体に近接又は接触させてＯＣＴによる干渉信号を取得し、それをコンピュータによって情報処理し、前記干渉信号の強度分布から得られる情報が表示器３ａに表示される。
このタイプは、表示器３ａが本体３に装備され、またメインスイッチ３ｂが計測開始及び終了用スイッチを兼ねたもので、メインスイッチ３ｂがオンのときは少なくとも毎秒１回以上のスピードで繰り返し計測を行い、そのたびに表示器３ａに表示する結果を更新する。
【００１７】
図２は、本発明のプローブの縦断面図である。
図において、２ａはレンズ、２ｂは光ファイバー、２ｃは収納部、２ｄは小孔を示す。
光ファイバー２ｂを接続したレンズ２ａが、先端を細くした収納部２ｃ内の先端近くに取り付けられる。レンズ２ａから出る計測光の照射又は反射光の受光は、収納部２ｃの先端の小孔２ｄを通して行う。
施術者は、プローブ２を手に持ち先端を歯や歯肉の計測部位に接触又は近接させて計測を行う。
この例では、プローブに表示器、光スキャナ、その他のレンズ等が無いため、軽量かつ低コストである。
【００１８】
図３は、前歯の縦断面を表す模式図である。
図において、１１は前歯、１１ａは切削箇所、１１ｂは切削後のエナメル質表裏面間距離、１１ｃはエナメル質、１１ｄは象牙質、１１ｅは歯髄、１１ｆは歯肉、１１ｇは歯槽骨、ａは計測箇所を示す。
例えば、切削箇所１１ａの切削が必要なラミネートベニア装着の症例では、施術者は切削箇所１１ａの切削後の表面（この場合はａ）にプローブ２を接触又は近接させて、切削後のエナメル質表裏面間距離１１ｂを計測でき、診療上問題ないかの確認ができる。
【００１９】
図４は、臼歯の縦断面を表す模式図である。
図において、１２は臼歯、１２ａは切削箇所、１２ｂは切削後の象牙質表裏面間距離、１２ｃはエナメル質、１２ｄは象牙質、１２ｅは歯髄、１２ｆは歯肉、１２ｇは歯槽骨、ｂ：計測箇所を示す。
例えば、切削箇所１２ａの切削が必要な症例では、施術者は切削箇所１２ａの切削後の表面（この場合はｂ）にプローブ２を接触又は近接させて、切削後の象牙質表裏面間距離１２ｂの計測を行い診療上問題ないかの確認ができる。
【００２０】
図５は、切削前の前歯の計測結果であり、図３に示す前歯を計測箇所ａで、エナメル質切削前の状態で計測した干渉信号強度分布を表したものである。
図において、２１は切削前の前歯の信号強度分布、２１ａはエナメル質表面に対応するピーク、２１ｂはエナメル質裏面に対応するピークを示す。
切削前の前歯の信号強度分布２１は、横軸は深さ（単位：μｍ）、縦軸は信号強度（単位：ｄＢ）である。横軸の０の位置が計測開始点で、ここは被検体表面から離れた空間のある一点である。
図中の深さは計測開始点からの光学距離を表しており、後述するエナメル質表面切削後の前歯の強度分布２２及び象牙質まで切削した臼歯の強度分布２３においても同様である。光学距離とは後述する様に、実際の距離に組織の屈折率を乗じたものである。
エナメル質表面に対応するピーク２１ａにおける横軸の数値は、エナメル質表面の（横又は奥方向の）位置で計測開始点からの光学距離を表している。
エナメル質裏面に対応するピーク２１ｂにおける横軸の数値は、エナメル質裏面の位置で計測開始点からの光学距離を表している。
図５から図７に示す干渉信号強度分布の情報の処理については後述する。
【００２１】
図６は、エナメル質表面切削後の前歯の計測結果である。
図３に示す前歯を計測箇所ａにて、エナメル質切削後の状態で計測した干渉信号強度分布を表したものである。
図において、２２はエナメル質表面切削後の前歯の信号強度分布、２２ａは切削後のエナメル質表面に対応するピーク、２２ｂはエナメル質裏面に対応するピークを示す。
切削後のエナメル質表面に対応するピーク２２ａにおける横軸の数値は、切削後のエナメル質表面の位置（計測開始点からの光学距離）を表している。エナメル質裏面に対応するピーク２２ｂにおける横軸の数値は、エナメル質裏面の位置（計測開始点からの光学距離）を表している。
【００２２】
図７は、図４における象牙質まで切削した臼歯の計測結果であり、図４に示す臼歯を計測箇所で計測した干渉信号強度分布を表したものである。
図において、２３は象牙質まで切削した臼歯の信号強度分布、２３ａは切削後の象牙質表面に対応するピーク、２３ｂは象牙質裏面に対応するピークである。
切削後の象牙質表面に対応するピーク２３ａにおける横軸の数値は、切削後の象牙質表面の位置（計測開始点からの光学距離）を表している。象牙質と歯髄の境界面に対応するピーク２３ｂにおける横軸の数値は、象牙質と歯髄の境界面の位置（計測開始点からの光学距離）を表している。
【００２３】
次に、光学距離と屈折率から実際の距離を求め、表示する方法も含め、計測から情報処理後の結果の告示までの一連の流れについて以下に説明する。
ここでは一例として、図の３の様な切削前の歯牙をａの箇所で計測し、図５のような干渉信号強度分布を得て、切削前のエナメル質表裏面間の実際の距離を求め、表示する方法を挙げ、以下に説明する。
１．後述する演算に必要な屈折率が被検体の組織毎に異なるため、施術者は、まず被検体の組織を選定するスイッチ４を操作してエナメル質を選定する。
２．施術者が、切削前の歯牙のエナメル質表面のａの箇所に、本発明の歯科用計測装置のプローブを近接させて図５のような干渉信号強度分布をＯＣＴによる手段で取得する。
３．前記干渉信号強度分布において、必要に応じて高速フーリエ変換によるフィルタ処理を行い、前記干渉信号強度分布からノイズとなる高周波成分を取り除く。この処理を行えば、以下の処理がより簡単になる。
またこれらの処理は、以下の処理も含め本発明の歯科用計測装置に内蔵されるコンピュータにより自動的に行われる。
【００２４】
４．必要に応じて高周波成分を取り除かれた前記干渉信号強度分布における傾きの変化や強弱からエナメル質表面に対応するピーク２１ａとエナメル質裏面に対応するピーク２１ｂの位置を検出し（具体的にはどのような手段によって位置等を検出するのか）、それらに対応する深さを求める。つまり２１ａにおいては１３００μｍ、２１ｂにおいては２８００μｍとなる。
５．２１ａと２１ｂの差がエナメル質表面からエナメル質裏面までの光学距離であり、
光学距離＝２８００μｍ−１３００μｍ＝１５００μｍである。
６．エナメル質に対応する屈折率が歯科用計測装置に内蔵されるデータベースから自動的に読み取られる。つまりエナメル質の屈折率として１．６５が読み取られる。これは既に学会等で認められた値である。
７．エナメル質表裏面間の実際の距離は、光学距離を屈折率で除算すると得られる。
したがって、
エナメル質表裏面間の実際の距離＝１５００μｍ÷１．６５＝９０９μｍである。
８．前記実際の距離は、表示器にて「９０９μｍ」と数字で表示される。
【００２５】
図８は、レンズの向きが調整できるプローブの外観図である。
図において、３０はプローブ、３１は把持部、３２は頭部、３３は先端部、３４は後部、３５は光ファイバーを示す。
把持部３１を施術者が手に持って、先端部３３を歯等に近接、又は接触させて計測する。把持部３１、頭部３２、先端部３３、後部３４は、ステンレス等の金属製である。
【００２６】
図９は、レンズの向きが調整できるプローブ先端の拡大縦断面図である。
図において、３２ａはＯリング、３３ａはＯリング、３６はカラー、３７はシャフト、３８はレンズ、３９ａは可変角度方向、３９ｂは回転方向を示す。
プローブ３０において、レンズ３８を収納する先端部３３は、Ｏリング３３ａとともにカラー３６にはめ込まれ着脱可能である。
また、カラー３６はシャフト３７を軸として回転し、摩擦により任意の位置で固定できるので、先端部３３の角度は自由に変更できる。
さらに、頭部３２はＯリング３２ａとともに把持部３１にはめ込まれ着脱可能かつ回動可能であり、摩擦により任意の位置で固定できる。
したがって、先端部３３の向きは、診療部位に応じて施術者が図において上下左右に自由に変更でき、またプローブ３０は容易に分解して消毒、滅菌ができる。
【００２７】
図１０は、フレキシブル材で作製されたプローブの外観図である。
図において、４０はプローブ、４１はレンズ、４２は収納部、４３は光ファイバーである。
プローブ４０において、収納部４２はフレキシブル材で作製されているので、施術者が自由に曲げて、その状態を保持できる。診療部位に応じて、施術者はレンズ４１の向きを変えて使用できる。この実施例では、透明なフレキシブル材を使用している。
【００２８】
図１１は、樹脂で作製されたプローブの分解図である。
図において、５０はプローブ、５１は先端収納部、５２は頭部収納部、５３は把持部、５４は後部、５５は光ファイバー、５６はレンズである。
プローブ５０において、先端収納部５１、頭部収納部５２、把持部５３、及び後部５４は廉価な樹脂製であり、図の如くはめ込み式で組み立て、又は分解できる。
使用するときは、光ファイバー５５とレンズ５６を組み込んだ状態で組み立てる。使用後は、分解して光ファイバー５５とレンズ５６を取り出して、樹脂部品は廃棄、交換する。
【００２９】
図１２は表示器を装備したプローブの外観図である。
図において６０はプローブ、６１は収納部、６２は表示器を示す。
表示器６２が手元にあるので、施術者は、離れた場所に表示器６２が置かれているときのように、視線を遠くに移動するわずらわしさが無く診療効率が向上する。
【００３０】
図１３ は、振動方式のプローブの一部破断図である。
図において、７０はプローブ、７１は収納部、７２は振動子、７３は光ファイバー、７４は電線である。
振動子７２は電線７４を介して本体側から制御されるように構成されている。
例えばエナメル質を計測する場合、エナメル質表裏面間の距離に応じて振動子７２の振動数を変化させたり、あらかじめ設定した距離よりも小さくなると振動子７２が振動するようにしたりすることにより、施術者は、離れた場所に表示器が置かれているときのように、視線を遠くに移動するわずらわしさが無く、手の感触だけで判断できるので診療効率が向上する。
【００３１】
図１４ は、スイッチを備えたプローブの外観図である。
図において、８０はプローブ、８１は収納部、８２はスイッチ、８３は光ファイバー、８４は電線である。
スイッチ８２は電線８４を介して本体側を制御できるように構成されており、施術者は収納部８１を持って指でスイッチ８２を操作することにより、容易に本体側の制御ができる。
例えば、スイッチ８２を押す又は触ることにより、計測を開始又は終了させることができる。また、スイッチ８２を押したときの計測結果を表示器に表示させた状態で固定して、ゆっくりと確認することもできる。
【００３２】
図１５ は、照明を備えたプローブの外観図である。
図において、９０はプローブ、９１は収納部、９２はＬＥＤ、９３は光ファイバー、９４は電線、９５は先端部である。
ＬＥＤ９２は被検体を照らすための照明で、電線９４を介して本体側から制御されるように構成されており、施術者が収納部９１を持って計測を行う際、ＬＥＤ９２の照明により被検体が見やすくなるため、診療効率が向上する。
本実施例では、ＬＥＤ９２を先端部９５の横に配置しているが、ＬＥＤを収納部９１又は本体に内蔵し、前記ＬＥＤの光を光ファィバー又は光ガイドを介して先端部９５の中を通して照射しても良い。
また、図１４のようにスイッチ（８２）を設けて制御しても良い。
【００３３】
図１６は、ホルダを装備した歯科用計測装置の外観斜視図である。
図において、１００は歯科用計測装置、１０１はホルダである。
歯科用計測装置１００は、本体３にプローブ２を格納するためのホルダ１０１を備え、ホルダ１０１にプローブ２の格納及び取り出しによりオンオフするスイッチ又はセンサが装備されており（図示せず）、プローブ２をホルダ１０１から取り出すと前記スイッチ又はセンサが働いて計測を開始し、格納すると計測を終了するように構成されている。
使用しないときは計測しないので無駄な電力は消費しない。前記スイッチ又はセンサとしは、例えばマイクロスイッチや光センサが利用できる。
また、プローブ２又は本体３にフザー又はスピーカー（図示せず）を取り付け、ブザーの音色、音の長さ、メロディー又は音声等に変換告知する回路（図示せず）を本体３に内蔵すれば、施術者は患者から目を離して表示器を見ることなく計測結果の確認ができる。
【００３４】
本発明の歯科用計測装置を歯牙切削のためのエアータービンハンドピース、マイクロモータハンドピース、又は歯科用レーザー装置と一体化すれば、計測しながら歯牙を切削することにより、エナメル質又は象牙質が目標の厚さになったときに自動的に前記エアータービンハンドピース、マイクロモータハンドピース、又は歯科用レーザー装置等を停止させるようにすることもできる。
計測対象として歯のエナメル質、象牙質、又は歯肉等を例に挙げているが、歯科の他の症例や、皮膚科、眼科等の医療分野、工業分野、あるいは化粧品分野等、あらゆる分野において応用できることは言うまでも無い。
【符号の説明】
【００３５】
１：歯科用計測装置
２：プローブ
２ａ：レンズ
２ｂ：光ファイバー
２ｃ：収納部
２ｄ：小孔
３：本体
３ａ：表示器
３ｂ：メインスイッチ
４；スイッチ
１１：前歯
１１ａ：切削箇所
１１ｂ：切削後のエナメル質表裏面間距離
１１ｃ：エナメル質
１１ｄ：象牙質
１１ｅ：歯髄
１１ｆ：歯肉
１１ｇ：歯槽骨
１２：臼歯
１２ａ：切削箇所
１２ｂ：切削後の象牙質表裏面間距離
１２ｃ：エナメル質
１２ｄ：象牙質
１２ｅ：歯髄
１２ｆ：歯肉
１２ｇ：歯槽骨
ａ：計測箇所
ｂ：計測箇所
２１：切削前の前歯の信号強度分布
２１ａ：エナメル質表面に対応するピーク
２１ｂ：エナメル質裏面に対応するピーク
２２：エナメル質表面切削後の前歯の信号強度分布
２２ａ：切削後のエナメル質表面に対応するピーク
２２ｂ：エナメル質裏面に対応するピーク
２３：象牙質まで切削した臼歯の信号強度分布
２３ａ：切削後の象牙質表面に対応するピーク
２３ｂ：象牙質裏面に対応するピーク
３０：プローブ
３１：把持部
３２：頭部
３２ａ：Ｏリング
３３：先端部
３３ａ：Ｏリング
３４：後部
３５：光ファイバー
３６：カラー
３７：シャフト
３８：レンズ
３９ａ：可変角度方向
３９ｂ：回転方向
４０：プローブ
４１：レンズ
４２：収納部
４３：光ファイバー
５０：プローブ
５１：先端収納部
５２：頭部収納部
５３：把持部
５４：後部
５５：光ファイバー
５６：レンズ
６０：プローブ
６１：収納部
６２：表示器
７０：プローブ
７１：収納部
７２：振動子
７３：光ファイバー
７４：電線
８０：プローブ
８１：収納部
８２：スイッチ
８３：光ファイバー
８４：電線
９０：プローブ
９１：収納部
９２：ＬＥＤ
９３：光ファイバー
９４：電線
９５：先端部
１００：歯科用計測装置
１０１：ホルダ
【図１】
2013233303.tif 000003
【図２】
2013233303.tif 000004
【図３】
2013233303.tif 000005
【図４】
2013233303.tif 000006
【図５】
2013233303.tif 000007
【図６】
2013233303.tif 000008
【図７】
2013233303.tif 000009
【図８】
2013233303.tif 000010
【図９】
2013233303.tif 000011
【図１０】
2013233303.tif 000012
【図１１】
2013233303.tif 000013
【図１２】
2013233303.tif 000014
【図１３】
2013233303.tif 000015
【図１４】
2013233303.tif 000016
【図１５】
2013233303.tif 000017
【図１６】
2013233303.tif 000018